(57)【要約】【課題】低価格で流通が行いやすく、野外調査での取り回しが容易であり、また修理などのメンテナンス性に優れた捕虫器を提供する。【解決手段】捕獲対象の昆虫を収容する捕集部材Ｂと、捕集部材Ｂ内に捕獲対象の昆虫を取り込むためのファンを着脱自在に格納するボディ本体Ａと、一部の支柱に電池用ソケットを設けた支柱からなる支柱部と、支柱部の上に設けられた屋根部Ｃと、捕獲対象の昆虫を引き寄せるための電球と、この電球に点灯のための電力を供給する回路構造体を備え、回路構造体は、一方が配線構造を有する一対のクランク部からなる下部構造体と、一方が配線構造を有する一対のクランク部からなる上部構造体を重ね合わせて構成される捕虫器。【選択図】図１
2020048549.tif 000002
【特許請求の範囲】
【請求項１】
捕獲対象の昆虫を収容する捕集部材と、
前記捕集部材を底面部から垂下して着脱自在に取り付け、前記捕集部材内に捕獲対象の昆虫を取り込むためのファンを着脱自在に格納するボディ本体と、
前記ボディ本体の上部四隅からそれぞれ立設され、乾電池を上下にして収容する電池用ソケットを有し対角状に配置された一対の第１のタイプの支柱、及び別の対角状に配置された一対の第２のタイプの支柱とからなる支柱部と、
一定の厚みを有する平板よりなり、表側に吊り部材が取り付けられ、裏面に前記支柱部のうちの少なくとも対角状に配置された一対の支柱の上端部を差し込みにより着脱自在に受け入れる差し込み受部が形成された屋根部と、
前記ボディ本体の上面に着脱自在に取り付けられ、一端から他端にかけて金属又は導電性樹脂テープからなる配線が上面に配置され、前記一対の第１のタイプの支柱の一方の支柱の下端から前記一対の第１のタイプの支柱の他方の支柱の下端にわたって装架される第１のクランク部と、前記一対の第２のタイプの支柱の一方の支柱の下端から前記一対の第１のタイプの支柱の他方の支柱の下端にわたって前記第１のクランク部とは別ルートで装架される第２のクランク部よりなる下部回路構造体と、
前記下部回路構造体の上に着脱自在に取り付けられ、上面中央部に電球用ソケットが設けられ、一端から他端にかけて金属又は導電性樹脂テープからなる配線が下面に配置され、前記一対の第１のタイプの支柱の一方の支柱下端から前記一対の第１のタイプの支柱の他方の支柱の下端にわたって装架される第３のクランク部と、前記一対の第１のタイプの支柱の一方の支柱の下端から前記一対の第１のタイプの支柱の他方の支柱の下端にわたって前記第３のクランク部とは別ルートで装架される第４のクランク部よりなる上部回路構造体とを備え、
前記下部回路構造体と前記上部回路構造体により、電球点灯用の回路構造体が構成されていることを特徴とする捕虫器。
【請求項２】
前記屋根部の裏面に形成された前記差し込み受け部が、前記支柱部の各支柱の上端部が着脱自在に嵌合により差し込まれる凹部であり、前記支柱部の各支柱の上端部が前記屋根部の前記差凹部に嵌合により差し込み固定されることを特徴とする請求項１に記載の捕虫器。
【請求項３】
前記屋根部に上端部が着脱自在に差し込まれる一対の支柱が、前記一対の第２のタイプの支柱であり、前記一対の第２のタイプの支柱の上部はそれぞれ差し込みのための逆Ｌ字構造を有し、これら各支柱の上部の逆Ｌ字構造はそれぞれこれら各支柱が配置される対角線中心から外側に向いており、前記屋根部の前記差し込み受部は、前記屋根部の裏面から突出し、この突出部分に平行に前記各支柱の上部の逆Ｌ字構造を受け入れる穴を有しており、前記逆Ｌ字構造の水平方向の折れ曲がり片と前記穴とは、これら各支柱の弾力性を利用して差し込み固定が行われることを特徴とする請求項１に記載の捕虫器。
【請求項４】
前記捕集部材は、捕獲した昆虫を回収するための回収部材を内部に有することを特徴とする請求項１又は２に記載の捕虫器。
【請求項５】
前記回収部材は、上部が開口したプラスチック容器であることを特徴とする請求項４に記載の捕虫器。
【請求項６】
前記回収部材は、４本の柱部分が下部枠体から立設した壁面を有しない第１の構造部と、前記４本の柱部分の上部と係合するための被係合部が形成された上部枠体からなる第２の構造部から構成されたボックス構造を備えることを特徴とする請求項４に記載の捕虫器。
【請求項７】
前記回収部材は、捕獲した昆虫を生きたまま飼育可能とする虫かごになる構造を有することを特徴とする請求項６に記載の捕虫器。
【請求項８】
持ち運び時には、前記回収部材が内部に前記ボディ部を収容する構造を有し、前記屋根部で前記回収部材と前記ボディ部の上部を覆うようになっていることを特徴とする請求項６に記載の捕虫器。
【請求項９】
前記ボディ本体、前記支柱部、前記屋根部、前記下部回路構造体、前記上部回路構造体のフレーム部分は、それぞれ３Ｄプリンターを用いて印刷により作製されていることを特徴とする請求項１から５のいずれかに記載の捕虫器。
【請求項１０】
前記ボディ本体、前記支柱部、前記屋根部、前記下部回路構造体、前記上部回路構造体のフレーム部分、前記回収部材は、それぞれ３Ｄプリンターを用いて印刷により作製されていることを特徴とする請求項６から８のいずれかに記載の捕虫器。
【請求項１１】
電球として豆電球とＬＥＤ電球の両方を使用することができ、一方の電池用ソケットにおける電池の取付方向を逆にすることにより、並列と直列の両回路を構成することができることを特徴とする請求項１から１０のいずれかに記載の捕虫器。
【請求項１２】
前記ファンを回転させるために、スマートフォン用モバイルバッテリーを電源として、昇圧回路により所要の電圧に変換することを特徴とする請求項１から１１のいずれかに記載の捕虫器。
【請求項１３】
前記屋根部の平面視形状が六角形であることを特徴とする請求項１から１２のいずれかに記載の捕虫器。
【発明の詳細な説明】
【技術分野】
【０００１】
本発明は、蚊などの小型昆虫（特に病害昆虫）をモニタリング調査あるいは害虫駆除するための捕虫器に関するものである。
【背景技術】
【０００２】
蚊媒介感染症は、ウィルスや原虫などの病原体を持った蚊が、人を刺すことにより生じる感染症であり、主として熱帯・亜熱帯地域を中心に流行している。日本でも２０１４年に関東一円でデング熱が流行し、大混乱が起きた。そのため都や県の職員が公園のたまり水や排水溝に殺虫剤を散布したり、蚊の成虫を捕獲してデングウィルスの保有の有無について検査するなど対応に追われた。
【０００３】
このような問題の発生の兆候を察知するとともに、昆虫媒介性の熱帯病の蔓延を未然に防止する観点から、捕虫器を用いたモニタリング調査や害虫駆除は極めて有効な手段である。
【０００４】
蚊のような小型昆虫を引き寄せ、捕獲するためには、光を周囲に発散させる電球等の光源と、引き寄せた小型昆虫を捕集バッグ等の捕集部材に取り込むファンを併用した捕虫器が捕虫効率の点で好ましい。
【０００５】
このようなタイプの捕虫器として、特許文献１には、捕獲対象の蚊などの昆虫を取り込むための電球、電気モーター、ファン、捕集バッグ、該捕集バッグに捕獲対象の昆虫を取り込むために開放状態となり、昆虫を取り込んだのちには昆虫を逃がさないために閉塞状態となるバルブ等を内部に設けた円筒体、電球からの光を周囲に発散させる反射部材を備え雨除け機能も有する反射カバーを備えた捕虫器が提案されている。
【０００６】
しかしながら、特許文献１に記載の捕虫器は、捕虫のための部材の大半を円筒体の中に収容しており、構造が複雑で、価格や、野外モリタリング調査での取り回し、また修理などのメンテナンス性において、改善すべき点が多いという問題がある。
【０００７】
一方、特許文献２には、蛾などの有翅昆虫を引き寄せるための光を周囲に発散させる電球を備えた光アセンブリ、底部に昆虫を誘引する化学的な誘引剤を配置した容器、捕獲対象の昆虫を容器内に取り込み、取り込んだ捕獲昆虫を逃がさないための複数のストランドからなるウィスカー・アセンブリを備えた捕虫器が提案されている。
【０００８】
しかしながら、特許文献２に記載の捕虫器は、複数のストランドからなるウィスカー・アセンブリを用いているため、蛾のようなある程度大きい有翅昆虫の捕虫には有効であるが、蚊のような小型昆虫の捕虫には捕虫効率の点で問題があった。また、価格や、入手経路、野外モニタリング調査での取り回し、修理などのメンテナンス性においても、特許文献１の技術と同様、改善すべき問題点も多いというのが実情であった。
【先行技術文献】
【特許文献】
【０００９】
【特許文献１】米国特許第４２８２６７３号明細書
【特許文献２】米国特許第６９１０２９８号明細書
【発明の概要】
【発明が解決しようとする課題】
【００１０】
本発明は、このような従来技術の実状に鑑みてなされたもので、低価格で流通が行いやすく、野外調査での取り回しが容易であり、また修理などのメンテナンス性に優れた捕虫器を提供することを課題とする。
【００１１】
また、本発明は、ボディ本体と屋根部の取付けをより容易に行うことができる捕虫器を提供することを別の課題とする。
【００１２】
また、本発明は、持ち運び時には、ボディ本体を内部に収容した構造を有し、全体としてコンパクトな構造となり、かつボディ本体を保護することができる捕虫器を提供することを別の課題とする。
【００１３】
さらに、本発明は、捕獲した昆虫、特に蚊を生きたまま飼育可能とする虫かごになる構造を有する回収部材を備えた捕虫器を提供することをさらに別の課題とする。
【課題を解決するための手段】
【００１４】
本発明によれば、上記課題を解決するため、下記の技術的手段が提供される。
［１］捕獲対象の昆虫を収容する捕集部材と、
前記捕集部材を底面部から垂下して着脱自在に取り付け、前記捕集部材内に捕獲対象の昆虫を取り込むためのファンを着脱自在に格納するボディ本体と、
前記ボディ本体の上部四隅からそれぞれ立設され、乾電池を上下にして収容する電池用ソケットを有し対角状に配置された一対の第１のタイプの支柱、及び別の対角状に配置された一対の第２のタイプの支柱とからなる支柱部と、
一定の厚みを有する平板よりなり、表側に吊り部材が取り付けられ、裏面に前記支柱部のうちの少なくとも対角状に配置された一対の支柱の上端部を差し込みにより着脱自在に受け入れる差し込み受部が形成された屋根部と、
前記ボディ本体の上面に着脱自在に取り付けられ、一端から他端にかけて金属又は導電性樹脂テープからなる配線が上面に配置され、前記一対の第１のタイプの支柱の一方の支柱の下端から前記一対の第１のタイプの支柱の他方の支柱の下端にわたって装架される第１のクランク部と、前記一対の第２のタイプの支柱の一方の支柱の下端から前記一対の第１のタイプの支柱の他方の支柱の下端にわたって前記第１のクランク部とは別ルートで装架される第２のクランク部よりなる下部回路構造体と、
前記下部回路構造体の上に着脱自在に取り付けられ、上面中央部に電球用ソケットが設けられ、一端から他端にかけて金属又は導電性樹脂テープからなる配線が下面に配置され、前記一対の第１のタイプの支柱の一方の支柱下端から前記一対の第１のタイプの支柱の他方の支柱の下端にわたって装架される第３のクランク部と、前記一対の第１のタイプの支柱の一方の支柱の下端から前記一対の第１のタイプの支柱の他方の支柱の下端にわたって前記第３のクランク部とは別ルートで装架される第４のクランク部よりなる上部回路構造体とを備え、
前記下部回路構造体と前記上部回路構造体により、電球点灯用の回路構造体が構成されていることを特徴とする捕虫器。
［２］上記第［１］の発明において、前記屋根部の裏面に形成された前記差し込み受け部が、前記支柱部の各支柱の上端部が着脱自在に嵌合により差し込まれる凹部であり、前記支柱部の各支柱の上端部が前記屋根部の前記差凹部に嵌合により差し込み固定されることを特徴とする捕虫器。
［３］上記第［１］の発明において、前記屋根部に上端部が着脱自在に差し込まれる一対の支柱が、前記一対の第２のタイプの支柱であり、前記一対の第２のタイプの支柱の上部はそれぞれ差し込みのための逆Ｌ字構造を有し、これら各支柱の上部の逆Ｌ字構造はそれぞれこれら各支柱が配置される対角線中心から外側に向いており、前記屋根部の前記差し込み受部は、前記屋根部の裏面から突出し、この突出部分に平行に前記各支柱の上部の逆Ｌ字構造を受け入れる穴を有しており、前記逆Ｌ字構造の水平方向の折れ曲がり片と前記穴とは、これら各支柱の弾力性を利用して差し込み固定が行われることを特徴とする捕虫器。
［４］上記第［１］又は第［２］の発明において、前記捕集部材は、捕獲した昆虫を回収するための回収部材を内部に有することを特徴とする捕虫器。
［５］上記第［４］の発明において、前記回収部材は、上部が開口したプラスチック容器であることを特徴とする捕虫器。
［６］上記第［４］の発明において、前記回収部材は、４本の柱部分が下部枠体から立設した壁面を有しない第１の構造部と、前記４本の柱部分の上部と係合するための被係合部が形成された上部枠体からなる第２の構造部から構成されたボックス構造を備えることを特徴とする捕虫器。
［７］上記第［６］の発明において、前記回収部材は、捕獲した昆虫を生きたまま飼育可能とする虫かごになる構造を有することを特徴とする捕虫器。
［８］上記第［６］の発明において、持ち運び時には、前記回収部材が内部に前記ボディ本体を収容する構造を有し、前記屋根部で前記回収部材と前記ボディ本体の上部を覆うようになっていることを特徴とする捕虫器。
［９］上記第［１］から第［５］のいずれかの発明において、前記ボディ本体、前記支柱部、前記屋根部、前記下部回路構造体、前記上部回路構造体のフレーム部分は、それぞれ３Ｄプリンターを用いて印刷により作製されていることを特徴とする捕虫器。
［１０］上記第［６］から第［９］のいずれかの発明において、前記ボディ本体、前記支柱部、前記屋根部、前記下部回路構造体、前記上部回路構造体のフレーム部分、前記回収部材は、それぞれ３Ｄプリンターを用いて印刷により作製されていることを特徴とする捕虫器。
［１１］上記第［１］から第［１０］のいずれかの発明において、電球として豆電球とＬＥＤ電球の両方を使用することができ、一方の電池用ソケットにおける電池の取付方向を逆にすることにより、並列と直列の両回路を構成することができることを特徴とする捕虫器。
［１２］上記第［１］から第［１１］のいずれかの発明において、前記ファンを回転させるために、スマートフォン用モバイルバッテリーを電源として、昇圧回路により所要の電圧に変換することを特徴とする捕虫器。
［１３］上記第［１］から第［１２］のいずれかの発明において、前記屋根部の平面視形状が六角形であることを特徴とする捕虫器。
【発明の効果】
【００１５】
本発明によれば、上記構成を採用したので、低価格で流通が行いやすく、野外調査での取り回しが容易であり、また修理などのメンテナンス性に優れた捕虫器が実現できる。本発明の捕虫器は、特に蚊の捕獲に好ましく適用することができる。さらに、捕虫器を構成する部材のフレーム部分を３Ｄプリンターで印刷して作製することにより、より低コスト化が図れ、より軽量化、小型化も実現される。
【００１６】
また、本発明によれば、第２の実施形態に示すように、支持部が立設したボディ本体と屋根部との取付形態を、フック構造を利用したものとすることによりさらに捕虫器の組立を容易にすることができるようになる。
【００１７】
また、本発明によれば、捕集部材内に配置される回収部材をボックス形状とし、持ち運び時に、内部に、立設した柱状部を有するボディ本体を入れ込むことができるようにする構造とすることにより、持ち運び時の捕虫器の構造がコンパクトとなり、持ち運びがしやすく、内部のボディ本体の保護が図れる利点がある。
【００１８】
さらに、本発明によれば、回収部材を、捕獲した昆虫、特に蚊を生きたまま飼育可能とする虫かごになる構造とすることができる。
【図面の簡単な説明】
【００１９】
【図１】本発明の第１の実施形態に係る捕虫器の野外での使用状態を全体構成として写真として示した図である。
【図２】本発明の第１の実施形態に係る捕虫器の捕集部材を取り外した捕虫器本体の様子を示す外観側面図である。
【図３】屋根部を取り外し、ボディ本体に設けられたファンを上方から見た図である。
【図４】本発明の第１の実施形態に係る捕虫器の屋根部を示す平面図である。
【図５】屋根部を支柱部から取り外した屋根部の裏面の様子を示す図である。
【図６】ボディ本体を、支柱部を介して屋根部に差し込みにより取り付けた状態を下方から見た図である。
【図７】ボディ本体から立設した第１のタイプの支柱に設けられた電池用ソケットと、電池用ソケットの下側配線の一部、及びボディ本体の後部側面に設けられたファン脱着操作用穴を示す図である。
【図８】ボディ本体からファンを取り出した状態及び電池用ソケットの上側電極から第１のタイプの支柱下部までのアルミニウム等の金属テープからなる配線の配置の説明図である。
【図９】捕虫器の電球部分の様子を示す図である。
【図１０】上面にアルミニウム等の金属テープからなる配線を設けた下部回路構造体を示す図である。
【図１１】アルミニウム等の金属テープからなる配線の様子を示す図である。
【図１２】上部回路構造体を取り外して下から見た図である。
【図１３】上部回路構造体を取り外して上から見た図である。
【図１４】３Ｄプリンターで印刷する３つのパーツとファンを示す図である。
【図１５】本発明の第２の実施形態に係る捕虫器の全体構成を模式的に示した図である。
【図１６】ボディ本体とその上部の四隅から立設した支柱を示す正面斜め上から見た写真である。
【図１７】（ａ）は支柱部を介してボディ部が屋根部に取り付けられた状態を正面やや左下から見た斜視図であり、（ｂ）は（ａ）の取付状態を正面斜め左下から見た斜視図であり、（ｃ）は上面に支持部が立設されたボディ本体と屋根部を切り離した状態を正面やや左下から見た分解斜視図であり、（ｄ）は上面に支持部が立設されたボディ本体と屋根部を切り離した状態を正面左下から見た分解斜視図である。
【図１８】支持部が設けられたボディ本体と、屋根部に設けられた嵌め込みのための凸状の嵌め込み構造部材と切り離した状態を正面左下方向から見た拡大斜視図である。
【図１９】屋根部と、柱状部が立設されたボディ本体を連結させる際の一対の支持柱の上部に形成された逆Ｌ字構造部を押し込む方向を示す正面左から見た分解斜視図である。
【図２０】支柱上方の逆Ｌ字構造部に設けられた折り返し片と、屋根部の裏面に設けられた嵌め込み構造部材の穴とが連結された状態を斜め下から見た写真である。
【図２１】支柱上方の逆Ｌ字構造部に設けられた折り返し片と、屋根部の裏面に設けられた嵌め込み部材の穴とが連結された状態を斜め下から見た写真である。
【図２２】回収部材を正面左下斜めから見た分解斜視図である。
【図２３】（ａ）は下部の枠体の柱状部が立設した状態を斜め上から見た写真、（ｂ）は上部の枠体を斜め上から見た写真である。
【図２４】（ａ）、（ｂ）は第２構造部の枠体の枠片が第１構造部の柱状部上部に形成された引っ掛かり部と嵌め込まれる様子、（ｂ）の第２構造部が第１構造部に組み込まれ、ボックス部を形成した様子を示す斜め上から見た写真である。
【図２５】屋根部と、柱状部が立設されたボディ本体を分離し、組み立てられた回収部材を嵌め込む前の状態を正面右から見た斜視図である。
【図２６】回収部材を支柱部が立設したボディ本体に嵌め込む途中の状態を斜視で示す写真である。
【図２７】回収部材を支持部が立設したボディ本体に嵌め込んだ後の状態を前方から見た写真である。
【図２８】回収部材を支持部が立設したボディ本体に嵌め込んだ後の状態を前方左斜め上から見た写真である。
【図２９】図２８の状態の構造体に屋根部Ｆを取り付けた最終的な収納状態を正面左から見た図である。
【図３０】最終的な収納状態を正面から見た写真である。
【図３１】ストッキング等の袋体の開口部を１８０度程度捻り、回収部材の開口部を覆うことで、捕獲した昆虫、特に蚊を生きたまま飼育可能する虫かごになる構造とした説明写真である。
【発明を実施するための形態】
【００２０】
以下、本発明を実施形態に基づいて詳細に説明する。
【００２１】
図１は、本発明の第１の実施形態に係る捕虫器の野外での使用状態を全体構成として写真で示した図である。
【００２２】
捕虫器は、捕虫器本体Ａと捕集部材Ｂとを備え、捕虫器本体Ａの上部には屋根部Ｃが設けられている。なお、図１には示されていないが、実際には、例えばファン駆動のためのスマートフォン用モバイルバッテリー（５Ｖ）とＤＣ−ＤＣコンバータ（５Ｖを１２Ｖに昇圧）が雨除けの袋に入れて地面上に配置されている。
【００２３】
捕虫器本体Ａにおいては、後述のボディ本体１の底面部から、捕獲対象の昆虫を収容する捕集部材Ｂが垂下されている。捕集部材Ｂは、例えば捕獲対象の昆虫のサイズに応じた目開きのナイロンメッシュ製ネット等の袋体の内部に上部が開口した透明なプラスチックカップなどを組み合わせたものを用いることができる。このプラスチックカップは捕獲した昆虫を容易に回収するために上部が開口していることが好ましい。例えば、ストッキングやソックスなどの袋状の形状をもつ市販製品の内部にペットボトルの底部から１０センチ程度切り出して形成した容器状の構造体を利用することもできる。
【００２４】
図２は、この捕集部材Ｂを取り外した捕虫器本体Ａの様子を示す外観側面図である。捕虫器本体Ａの下部には図３に示すファン２を格納したボディ本体１が設けられている。なお、図３は前記屋根部Ｃ、およびボディ本体１の筐体を取り外した状態を示している。この図３にも示すように、ボディ本体１の上部四隅からは、対角状に配置された一対の第１のタイプの支柱４ａ、４ｂと、別の対角状に配置された一対の第２のタイプの支柱４ｃ、４ｄが立設されている。これら支柱４ａ〜４ｄはボディ本体１の上面と一体に形成されて立設されていてもよいし、嵌合により立設されていてもよい。一対の第１のタイプの支柱４ａ、４ｂには、乾電池を上下に収容する電池用ソケット３ａ、３ｂが配置されている。一方、一対の第２のタイプの支柱４ｃ、４ｄには、電池用ソケットは取り付けられていない。したがって、第２のタイプの支柱４ｃ、４ｄの断面寸法は第１のタイプの支柱４ａ、４ｂの断面寸法より小さくなっている。一対の第１のタイプの支柱４ａ、４ｂと、一対の第２のタイプの支柱４ｃ、４ｄの４本の支柱で支柱部４が構成される。
【００２５】
支柱部４の各支柱４ａ、４ｂ、４ｃ、４ｄの上端には、一定の厚みを有する平板よりなり、吊り紐５が取り付けられた前記屋根部Ｃが脱着可能に取り付けられている。第１の実施形態では、図４に示すように、屋根部Ｃは平面視形状を例えば六角形として、捕虫器の設置時に壁などに沿わせ、安定して設置できるようにしている。屋根部Ｃはコンパクトに持ち運べるように小型で、取り回しの利便性を向上するため、差し込みによりワンタッチで支柱部４の各支柱４ａ、４ｂ、４ｃ、４ｄの上端に取り付けられるようになっている。そのため、屋根部Ｃの裏面には、図５に示すように、各支柱４ａ、４ｂ、４ｃ、４ｄの上端部の形状と相補的な形状を有する差し込み凹部７ａ、７ｂ、７ｃ、７ｄが形成されている。差し込み凹部７ａ、７ｂには第１のタイプの支柱４ａ、４ｂの上部が着脱可能に差し込まれ、差し込み凹部７ｃ、７ｄには第２のタイプの支柱４ｃ、４ｄが着脱可能に差し込まれるようになっている。この場合の差し込みは、支柱４ａ、４ｂ、４ｃ、４ｄと差し込み凹部７ａ、７ｂ、７ｃ、７ｄとの緊密な嵌合によるものとなる。ボディ本体１を、支柱部４の各支柱４ａ、４ｂ、４ｃ、４ｄの上部を介して屋根部Ｃに差し込みにより取り付けた状態を下方から見た図である。ファン２は、捕獲対象の昆虫を捕集部材Ｂ内に取り込むためのもので、例えば、パソコンケース用８ｃｍ冷却ファン（１２Ｖ）、もしくはそれに類するファンを利用し、スマートフォン用モバイルバッテリー（５Ｖ）などの市販されているものを電源として、ＤＣ−ＤＣコンバータ（昇圧回路、５Ｖを１２Ｖに昇圧）を経由し、利用できる。ファン２を駆動するモーター（図示せず）を取り付ける基台８には、図示しない電源から電力をこのモーターに供給するためのリード線９が取り付けられている。
【００２６】
図７は、一対の第１のタイプの支柱４ａ、４ｂのうちの一方の支柱４ａに設けられた電池用ソケット３ａと電池用ソケット３ａの下側配線の一部、及びボディ本体１の後部側面に設けられたファン脱着操作用穴１ａを示す図である。電池用ソケット３ａの上側電極に接続されるアルミニウム等の金属又は導電性樹脂テープからなる取出配線１０ａは図７に示すように電池用ソケット３の上側から下側まで設置され、支柱４ａの壁を通して支柱４ｂ側の壁面に導かれ、そこで電気的接続部を形成する。なお、前記のテープについては、金属、例えばアルミニウム、銅、ニッケル等、好ましくはアルミニウムが考慮される。また、炭素繊維や金属繊維を含有した導電性の樹脂であってもよい。これらのテープは、薄板や薄膜状でよいし、繊維状や糸状束体であってもよい。場合によっては、アルミニウム缶を５ミリ幅の短冊状に切り、裏に粘着剤をつけた物の利用も可能である。
【００２７】
一方、前記のようにファン２の取り出しを指で押すだけで行うためのファン脱着操作用穴１ａがボディ本体１の後部側面の適所に形成されるとともに、この後部側面にはファン２と図示しない電源と接続するリード線９を保持するためのリード線保持穴１ｂも形成されている。
【００２８】
図８は、ボディ本体１からファン２を取り出した状態及び電池用ソケット３ｂの上側電極から第１のタイプの支柱４ｂの下部までのアルミニウム等の金属テープからなる取出配線１０ｂの配置の説明図である。第１のタイプの支柱４ａの電池用ソケット３ａの部分に設けられた取出配線１０ａと同様な構成となっている。
【００２９】
図９は、光により補足対象の昆虫を引き寄せるための捕虫器の電球１１の近傍の様子を示す。電球１１の部分の回路には例えばアルミニウム等の金属テープからなる配線を用いているが、回路が露出しないように、図９に示すように、はめ込み式のパーツで覆うようにしている。
【００３０】
次に、図１０、図１１によって、電球１１を点灯させるための回路構造体１２について説明する。この回路構造体１２は、ボディ本体１の上面に着脱自在に取り付けられる下部回路構造体１２ａと、その上に着脱自在に取り付けられる上部回路構造体１２ｂよりなる。
【００３１】
下部回路構造体１２ａは、図１０に示すように、電球１１が取り付けられる位置の下方で互いに交差する２つのクランク部、すなわち第１のクランク１３ａと第２のクランク部１３ｂから構成される。第１のクランク部１３ａの上面には、一端から他端にかけて例えばアルミニウム等の金属テープからなる配線１４ａが配置され、第１のタイプの支柱４ａの下端から、対角状の位置にある第１のタイプの支柱４ｂの下端にわたって装架されている。第２のクランク部１３ｂには上面には例えばアルミニウム等の金属テープからなる配線は配置されておらず第１のタイプの支柱４ａの下端から、対角状の位置にある第１のタイプの支柱４ｂの下端にわたって第１のクランク部１３ａとは別ルートで装架されている。この第２のクランク部１３ｂは下部回路構造体１２ａの強度を補強する役割を行う。また、図１１に、第１のタイプの支柱４ａの下端近傍の、例えばアルミニウム等の金属テープによる回路構造の配線部分の一部を拡大して例示する。
【００３２】
一方、図１２に示すように、上部回路構造体１２ｂは、電球１１が取り付けられる位置で互いに交差する別の２つのクランク部、すなわち第３のクランク部１３ｃと第４のクランク部１３ｄから構成される。第３のクランク部１３ｃの下面には、電球用ソケット装着部を除き、一端から他端にかけてアルミニウム等の金属テープからなる配線１４ｂが配置され、第１のタイプの支柱４ａの下端から第１のタイプの支柱４ｂの下端にかけて、電球用ソケット装着部を除き、装架されている。従って、実質的に配線１４ｂは、一端から他端にかけて配置されているということができる。第４のクランク部１３ｄには上面にはアルミニウム等の金属テープからなる配線は配置されておらず第１のタイプの支柱４ａの下端から第１のタイプの支柱４ｂの下端にかけて第３のクランク部１３ｃとは別ルートで装架されている。この第４のクランク部１３ｄは上部回路構造体１２ｂの強度を補強する役割を行う。図１３は、電球用ソケット１５に電球１１を取り付けた状態で、上部回路構造体１２ｂを取り外した状態を上から見た図である。
【００３３】
下部回路構造体１２ａと上部回路構造体１２ｂの中央、すなわち第１のクランク部１３ａと第２のクランク部１３ｂが交差する位置と、第３のクランク部１３ｃと第４のクランク部１３ｄが交差する位置には、電球用ソケット１５が設けられ、電球用ソケット１５の下部接点は下部回路構造体１２ａの配線１４ａと電気的に接触し、電球用ソケット１５の上側の接触部分は上部回路構造体１２ｂの配線１４ｂに電気的に接触している。従って、電球用ソケット１５に電球１１が取り付けられた状態で、電池用ソケット３ａ、３ｂに乾電池が取り付けられると、電球１１を点灯するための電力が供給される回路が形成されることになる。なお、下部回路構造体１２ａの第１のクランク部１３ａ、第２のクランク部１３ｂ、第３のクランク部１３ｃ、第４のクランク部１３ｄの両端部、すなわち支柱４ａと支柱４ｂにそれぞれ当接する端部の形状は非対称となっており、その構造の違いにより、各支柱にはまり込む方向が決まっている。
【００３４】
電球１２としては、豆電球とＬＥＤ電球の両方が使えるようになっている。従って、電池用ソケット３ａ、３ｂに装着する単３電池の方向を一部逆転することにより、豆電球用の並列回路とＬＥＤ電球用の直列回路の両回路が構成可能となっている。電球ソケットはＥ１０を用いることができるが、ライト部のソケット形状を変更することで多種多様なソケットに対応できる。電源として、ニッケル・水素充電池（１．２Ｖ）または１．５Ｖの電池（マンガン電池やアルカリ電池）を用いることを用いることが可能である。したがって、１．２Ｖ電源を利用する場合は、並列回路で１．２Ｖ、直列回路で２．４Ｖを出力できる。一方、１．５Ｖ電源の場合、並列回路で１．５Ｖ、直列回路で３．０Ｖを出力できる。
【００３５】
本実施形態では、捕虫器の低コスト化を図るため、図１４に示すように、配線１４ａ、１４ｂや電球用ソケット１１、モーター（図示せず）以外の３つのパーツ、すなわちボディ本体Ａ・支柱部４ａ、４ｂ、４ｃ、４ｄ；屋根部Ｃ；上下回路構造体１２ａ、１２ｂのフレーム構造部分を３Ｄプリンターで印刷し、組み立てが可能な全体構造としている。捕虫器の各部の強度や耐久性は、捕虫器に利用する３Ｄプリンターに用いる素材（ＡＢＳ樹脂やＰＥＴＧ、ナイロン等）を変えることや、素材の色を変更するなどし、蚊の捕虫効率を調整するなど、調査地の環境にあった最適な素材を用いることができる。さらに、電球以外の蚊の誘引物質（二酸化炭素や匂い物質）を併用し、捕虫効率の向上も可能である。本実施形態では、捕虫器の構造部分の作製に３Ｄプリンターを利用していることから、３Ｄプリンターの設備があれば、捕虫器を組み立てるフレームを印刷（作製）することが可能である。
【００３６】
次に、本発明の第２の実施形態に係る捕虫器について説明する。
【００３７】
図１５は、第２の実施形態に係る捕虫器の全体構成を模式的に示した図である。
【００３８】
この捕虫器は、捕虫器本体Ｄと捕集部材Ｅとを備え、捕虫器本体Ｄの上部には屋根部Ｆが設けられている。なお、図１５には示されていないが、実際には、第１の実施形態と同様、例えばファン駆動のためのスマートフォン用モバイルバッテリー（５Ｖ）とＤＣ−ＤＣコンバータ（５Ｖを１２Ｖに昇圧）が雨除けの袋に入れて地面上に配置されている。
【００３９】
捕虫器本体Ｄにおいては、ボディ本体２１の底面部から、捕獲対象の昆虫を収容する捕集部材Ｅが垂下されている。捕集部材Ｅは、例えば捕獲対象の昆虫のサイズに応じた目開きのナイロンメッシュ製ネット等の袋体の内部に、捕集した昆虫を回収するためのボックス状の回収部材２２が図１５のように設けられている。また、ボディ本体２１の上部四隅からは、図１６（写真）、図１７に示すように、対角状に配置された一対の第１のタイプの支柱２３ａ、２３ｂと、別の対角状に配置された一対の第２のタイプの支柱２３ｃ、２３ｄが立設されている。これら支柱２３ａ〜２３ｄはボディ本体２１の上面と一体に形成されて立設されていてもよいし、嵌め込み（嵌合）により着脱自在に立設されていてもよい。一対の第１のタイプの支柱２３ａ、２３ｂには、第１の実施形態と同様、乾電池を上下に収容する電池用ソケットが配置されている。一方、一対の第２のタイプの支柱２３ｃ、２３ｄには、電池用ソケットは取り付けられていない。したがって、第２のタイプの支柱２３ｃ、２３ｄの断面寸法は第１のタイプの支柱２３ａ、２３ｂの支柱の断面寸法より小さくなっている。一対の第１のタイプの支柱２３ａ、２３ｂと、一対の第２のタイプの支柱２３ｃ、２３ｄで支柱部２３が構成される。
【００４０】
第２の実施形態の捕虫器と第１の実施形態の捕虫器との相違点は、主として、（１）支柱部２３が立設されたボディ本体２１と屋根部Ｆとの取付形態、（２）捕集部材Ｅ内に配置される回収部材２２の構造、（３）持ち運び時の、支柱部２３を備えたボディ本体２１と回収部材２２と屋根部Ｆの収納形態にあると考えられる。それ以外は、第１の実施形態とほぼ同様であるので、以下では、上記３点を中心に詳細に説明する。
【００４１】
まず、上記（１）の支柱部２３が立設されたボディ本体２１と屋根部Ｆとの取付形態について述べる。図１７（ａ）は支柱部２３を介してボディ本体２１（筐体のみが示されている）が屋根部Ｆに取り付けられた状態を正面やや左下から見た斜視図であり、図１７（ｂ）は図１７（ａ）の取付状態を正面左下斜めから見た斜視図であり、図１７（ｃ）は上面に支持部２３が立設されたボディ本体２１と屋根部Ｆを切り離した状態を正面やや左から見た分解斜視図であり、図１７（ｄ）は上面に支持部２３が立設されたボディ本体２１と屋根部Ｆを切り離した状態を正面左下斜めから見た分解斜視図である。
【００４２】
また、図１８に、第２の実施形態の捕虫器において、支柱部２３（２３ａ〜２３ｄ）が設けられたボディ本体２１を、屋根部Ｆに設けられた嵌め込みのための凸状の嵌め込み構造部材２５ａ、２５ｂと切り離した状態を正面左下方向から見た拡大斜視図を示す。
【００４３】
図１８に示すように、電池が設けられない一対の対角線状に配置された支柱２３ｃ、２３ｄにはそれぞれその上部に逆Ｌ字構造部２６ａ、２６ｂが設けられている。これら逆Ｌ字構造部２６ａ、２６ｂは、両者を結ぶ対角線の中心位置に対してそれぞれ外側方向に向かう水平方向の折り返し片２７ａ、２７ｂが設けられている。また、屋根部Ｆの裏面には２箇所に嵌め込み部材２５ａ、２５ｂが突出形成されている。嵌め込み構造部材２５ａ、２５ｂには、逆Ｌ字構造部２６ａ、２６ｂの折り返し辺２７ａ、２７ｂが嵌り込む横方向に長く延びた穴（水平方向に向けて貫通したスロット）２８ａ、２８ｂがそれぞれ屋根部Ｆの裏面と水平な方向に開口している。
【００４４】
支持部２３の支持柱２３ｃ、２３ｄの上部に設けられた逆Ｌ字構造部２６ａ、２６ｂの折り返し片２７ａ、２７ｂと、屋根部Ｆの裏面に設けられた嵌め込み構造部材２５ａ、２５ｂの穴２８ａ、２８ｂとの嵌め込みは、支柱２３ｃ、２３ｄが弾力性を有しているため、それぞれを外側に向けて手で広げた状態で、嵌め込み位置に両者が位置した後に手を離すと、図１９に示すように、２本の支柱２３ｃ、２３ｄを結ぶ対角線の中心位置に前記中心に向かう付勢力が加わり、折り返し片２７ａ、２７ｂが穴２８ａ、２８ｂの中に入り込み、最終的に両者は嵌め合わされ、屋根部Ｆと支柱部２３が立設したボディ本体２１が強固に連結固定されることになる。図２０、図２１は折り返し片と嵌め込み構造部材の穴との連結状態を写真で示す（図２０、図２１ではわかりやすくするため、屋根部Ｆは白色材料で形成している）。このとき折り返し片２７ａ、２７ｂは、穴２８ａ、２８ｂの中に例えば５ｍｍ程度入り込む。
【００４５】
次に、上記の特徴（２）の捕集部材Ｅ内に配置される回収部材２２の構造について述べる。図２２は、回収部材２２を正面左下斜めから見た分解斜視図である。
【００４６】
回収部材２２は、第１の構造部２９と、この第１の構造部２９に下方から嵌め込まれる第２の構造部３０からなる。
【００４７】
第１の構造部２９は、正方形状の下部枠体３１と、この下部枠体３１の四隅から立設する柱状部３２ａ、３２ｂ、３２ｃ、３２ｄとから構成される。４本の柱状部３２ａ、３２ｂ、３２ｃ、３２ｄの内側にはそれぞれ引っ掛かり部３３ａ、３３ｂ、３３ｃ、３３ｄ（図では３３ａ、３３ｂは隠れて見えない）が設けられている。
【００４８】
第２の構造部３０は、正方形状の上部の枠体３５からなり４つの枠片３４ａ、３４ｂ、３４ｃ、３４ｄからなり、枠体の四隅の外側には嵌め込み用凹部３５ａ、３５ｂ、３５ｃ、３５ｄが形成されている。
【００４９】
図２３（ａ）は下部の枠体３１の柱状部３２ａ、３２ｂ、３２ｃ、３２ｄが立設した状態を斜め上から見た写真、図２３（ｂ）は上部の枠体３５を斜め上から見た写真である。
【００５０】
図２４（ａ）、（ｂ）に枠片３４ａ〜３４ｄが柱状部３３ａ〜３３ｄにロックされる様子を斜視の写真で示す。ここでは、枠片３４ａ〜３４ｄが柱状部３３ａ〜３３ｄの嵌め込み状態は同じであるので１つのみを示す。また、図２４（ｃ）に第１の構造部２９と第２の構造部が組み立てられた状態を斜視の写真で示す。
【００５１】
第２の構造部３０は、第１の構造部２９に下方から入り込み、第１の構造部２９の４本の柱状部３２ａ、３２ｂ、３２ｃ、３２ｄの内側に設けられた引っ掛かり部３３ａ、３３ｂ、３３ｃ、３３ｄによりロックされて、図１５の下側、図２４（ｃ）のような構造となる。
【００５２】
回収部材２２は、図１５に示すように、収縮性のある網目状の素材（ストッキング）などに入れ、ボディ本体２１の底面部に取り付けられる。回収部材２２は、回収部材２２の２面の正方形部がボディ本体２１に設けられたファン取付部に水平方向になるように設置する。
【００５３】
次に、上記第（３）の特徴の持ち運び時の支柱部２３を備えたボディ本体２１と回収部材２２と屋根部Ｆの収納形態について述べる。
【００５４】
図２６に、回収部材を支柱部が立設したボディ本体に嵌め込む途中の状態を斜視で示す写真、図２７に、回収部材を支持部が立設したボディ本体に嵌め込んだ後の状態を前方から見た写真、図２８に、回収部材を支持部が立設したボディ本体に嵌め込んだ後の状態を前方左斜め上から見た写真を示す。
【００５５】
図２５において、上下の矢印は、屋根部Ｆと、柱状部２３が立設されたボディ本体２１を、回収部材２２に対して、挟み込むように入れる方向を示す。
【００５６】
また、図２９に、図２７、図２８に示す状態の構造体に屋根部Ｆを取り付けた最終的な収納状態を正面左から見た図を示し、図３０に最終的な収納状態を正面から見た写真で示す。
【００５７】
第２の実施形態の捕虫器によれば、図２８、図２９に示すように、持ち運び時あるいは収納時に非常にコンパクトな構造となる利点がある。
【００５８】
さらに、第２の実施形態の捕虫器の回収部材２２は、図３１（ａ）〜（ｃ）に示すように、ストッキング等の袋体の開口部を１８０度程度捻り、回収部材２２の開口部を覆うことで、捕獲した昆虫、特に蚊を生きたまま飼育可能する虫かごになる構造とすることができる。
【００５９】
以上、本発明を実施形態に基づいて説明してきたが、本発明によれば、上記実施形態に限定されることなく、種々の変形、変更が可能である。
【符号の説明】
【００６０】
Ａ    捕虫器本体
Ｂ    捕集部材
Ｃ    屋根部
１    ボディ本体
１ａ    ファン着脱操作用穴
１ｂ    リード線保持穴
２    ファン
３ａ、３ｂ    電池用ソケット
４    支柱部
４ａ、４ｂ    第１のタイプの支柱
４ｃ、４ｄ    第２のタイプの支柱
５    吊り紐
７ａ、７ｂ、７ｃ、７ｄ    差し込み部
８    基台
９    リード線
１０ａ、１０ｂ    取出配線
１１    電球
１２    回路構造体
１２ａ    下部回路構造体
１２ｂ    上部回路構造体
１３ａ    第１のクランク部
１３ｂ    第２のクランク部
１３ｃ    第３のクランク部
１３ｄ    第４のクランク部
１４ａ、１４ｂ    配線
１５    電球用ソケット
Ｄ    捕虫器本体
Ｅ    捕集部材
Ｆ    屋根部
２１    ボディ部
２２    回収部材
２３ａ、２３ｂ    第１のタイプの支柱
２３ｃ、２３ｄ    第２のタイプの支柱
２３    支柱部
２４ａ、２４ｂ    電池用ソケット
２５ａ、２５ｂ    嵌め込み構造部材
２６ａ、２６ｂ    逆Ｌ字構造部
２７ａ、２７ｂ    折り返し片
２８ａ、２８ｂ    穴
２９    第１の構造部
３０    第２の構造部
３１    下部枠体
３２ａ、３２ｂ、３２ｃ、３２ｄ    柱状部
３３ａ、３３ｂ、３３ｃ、３３ｄ    引っ掛かり部
３４ａ、３４ｂ、３４ｃ、３４ｄ    枠片
３５    上部枠体
３５ａ、３５ｂ、３５ｃ、３５ｄ    嵌め込み用凹部
【図１】
2020048549.tif 000003
【図２】
2020048549.tif 000004
【図３】
2020048549.tif 000005
【図４】
2020048549.tif 000006
【図５】
2020048549.tif 000007
【図６】
2020048549.tif 000008
【図７】
2020048549.tif 000009
【図８】
2020048549.tif 000010
【図９】
2020048549.tif 000011
【図１０】
2020048549.tif 000012
【図１１】
2020048549.tif 000013
【図１２】
2020048549.tif 000014
【図１３】
2020048549.tif 000015
【図１４】
2020048549.tif 000016
【図１５】
2020048549.tif 000017
【図１６】
2020048549.tif 000018
【図１７】
2020048549.tif 000019
【図１８】
2020048549.tif 000020
【図１９】
2020048549.tif 000021
【図２０】
2020048549.tif 000022
【図２１】
2020048549.tif 000023
【図２２】
2020048549.tif 000024
【図２３】
2020048549.tif 000025
【図２４】
2020048549.tif 000026
【図２５】
2020048549.tif 000027
【図２６】
2020048549.tif 000028
【図２７】
2020048549.tif 000029
【図２８】
2020048549.tif 000030
【図２９】
2020048549.tif 000031
【図３０】
2020048549.tif 000032
【図３１】
2020048549.tif 000033